(57)【要約】【課題】  天井取付型エアコンデショナーの熱交換器に互いに直交して配設された多数本の熱媒体循環器の全ての両側面及び無数のフィンの全ての両側面に液噴射ノズルの洗浄液を直接吹き付けて洗浄効果を高めることができる洗浄装置を提供する。【解決手段】  垂直方向と水平方向に互いに直交して配設された多数本の熱媒体循環管C1,C1,…と無数のフィンC2,C2,…から成る熱交換器Cに沿って移動する液噴射ノズル5から洗浄液を該熱交換器に向け吹き付けるようにした天井取付型エアコンデショナーAの該熱交換器Cの洗浄装置において、該液噴射ノズル5を該熱交換器Cに沿い昇降動を繰り返す間、上向き及び下向きの首振りを繰り返すようにした。【選択図】      図２
2007218496.tif 000002
【特許請求の範囲】
【請求項１】
垂直方向と水平方向に互いに直交して配設された多数本の熱媒体循環管と無数のフィンから成る略環状又はパネル状の熱交換器の面に沿って移動する液噴射ノズルから洗浄液を該熱交換器に向け吹き付けるようにした天井取付型エアコンデショナーの熱交換器の洗浄装置において、該液噴射ノズルを該熱交換器に沿い昇降動を繰り返す間、上向き及び下向きの首振りを繰り返すようにしたことを特徴とする天井取付型エアコンデショナーの熱交換器の洗浄装置。
【請求項２】
該液噴射ノズルの首振り手段は、該液噴射ノズルを回転管継手を介して液供給管に接続し、該回転管継手を駆動装置によって反転動させるようにしたことを特徴とする請求項1に記載の洗浄装置。
【請求項３】
該液供給管に連結した副液供給管を設けると共に、該副液供給管の上端に回転管継手を介し上向き及び下向きに首振り自在の副液噴射ノズルを設けたことを特徴とする請求項1に記載の洗浄装置。
【請求項４】
長尺の通液管の先端に回転管継手を介し液噴射ノズルを設けると共に、該通液管の基部の側方にエアシリンダを併設し、該エアシリンダのピストン杆の先端に該通液管に沿って延びる長尺の連杆を併設し、該連杆の先端を、該回転管継手から突設した連片に回転継手部を具備したロッドを介し連結し、該エアシリンダの作動により該液噴射ノズルを首振り自在としたことを特徴とする天井取付型エアコンデショナーの熱交換器の手持ち式洗浄装置。
【発明の詳細な説明】
【技術分野】
【０００１】
本発明は、主として、事務室、遊技場、喫茶店等の天井に取付けられる天井取付型エアコンデショナーの熱交換器の洗浄装置に関する。
【背景技術】
【０００２】
従来、この種天井取付型エアコンデショナーの熱交換器の洗浄装置として、例えば、特開平8-247696公報には、図1並びに図2に示されるように、下面を開放した長方形のケーシング内にその対向側壁に沿って配設した長方形パネル状熱交換器の長手方向に沿って液噴射ノズルを往復動させつつ洗浄液を該熱交換器に向けて吹き付け洗浄するようにした装置が開示されている。また、本願の出願人が先に公開した特開平8-296993公報及び特開平10-89892公報において、天井取付型エアコンデショナーの下面を開口した筐体内に設けた略環状の熱交換器の内周面で囲繞される空間内に、昇降自在で且つ垂直軸線を中心に回転自在の液供給管に連通する液噴射ノズルを臨ませ、該液噴射ノズルを昇降動と垂直軸を中心に回動させ、該環状の熱交換器面に沿って移動させ乍ら、該噴射液ノズルから該熱交換器に向けて洗浄液を吹き付け洗浄するようにした洗浄装置を開示すると共に、この形式の洗浄装置において、該略環状の熱交換器の下部の洗浄効果を高めるために、コイルスプリングダンパで水平状態に保持された液噴射ノズルが、下端位置に近づいたときにのみ、水平状態から下向きに揺動(スウィング)するようにした洗浄装置の発明を開示した。
【特許文献１】特開平8-247696公報
【特許文献２】特開平8-296993公報
【特許文献３】特開平10-89892公報
【発明の開示】
【発明が解決しようとする課題】
【０００３】
しかし乍ら、上記特許文献1の発明に係る洗浄装置の液噴射ノズルは、いずれもノズル取付管に水平状態に固設されている。従って、該液噴射ノズルと対向する前記のパネル状の熱交換器や略環状の熱交換器の面を構成する互いに垂直方向と水平方向に直交して配設されている多数本の熱媒体循環管や無数のフィンに該液噴射ノズルから噴射される噴射液を直接当てることが出来るが、液噴射ノズルと対向しないこれらの熱媒体循環管の夫々の両側面又はこれらフィンの両側面に直接当てることができないので、これら両側面に付着している凝着物を洗い落とし難いという不具合があった。
また、特許文献2及び3の発明に係る洗浄装置では、該液噴射ノズルは昇降杆がその下端に近づくまでは水平状態に保持されており、該昇降杆が下端に近づいたときに該液噴射ノズルは徐々に下向きになり、該昇降杆が下端から上昇するときに該液噴射ノズルは徐々に上向きとなり、もとの水平状態に戻るように構成されている。従って、特許文献1の水平状態に固設されている液噴射ノズルと同様に、該熱交換器の主体を構成している前記の互いに直交して配設された全ての熱媒体循環管の両側面又は全てのフィンの両側面に対して直接当てることができないので、そこに付着している凝着物を除去することが困難となる不都合があった。
本発明はかゝる従来の天井取付型エアコンデショナーの熱交換器の洗浄装置の課題を解決することを目的とする。
【課題を解決するための手段】
【０００４】
本発明の天井取付型エアコンデショナーの熱交換器の洗浄装置は、請求項1に記載の通り、垂直方向と水平方向に互いに直交して配設された多数本の熱媒体循環管と無数のフィンから成る略環状又はパネル状の熱交換器の面に沿って移動する液噴射ノズルから洗浄液を該熱交換器に向け吹き付けるようにした天井取付型エアコンデショナーの熱交換器の洗浄装置において、該液噴射ノズルを該熱交換器に沿い昇降動を繰り返す間、上向き及び下向きの首振りを繰り返すようにしたことを特徴とする。
更に本発明は、上記の発明において、請求項2に記載の通り、該液噴射ノズルの首振り手段は、該液噴射ノズルを回転管継手を介して液供給管に接続し、該回転管継手を駆動装置によって反転動させるようにしたことを特徴とする。
更に本発明は、上記の発明において、請求項3に記載の通り、該液供給管に連結した副液供給管を設けると共に、該副液供給管の上端に回転管継手を介し上向き及び下向きに首振り自在の副液噴射ノズルを設けたことを特徴とする。
更に本発明は、天井取付型エアコンデショナーの熱交換器の手持ち式の洗浄装置は、請求項4に記載の通り、長尺の通液管の先端に回転管継手を介し液噴射ノズルを設けると共に、該通液管の基部の側方にエアシリンダを併設し、該エアシリンダのピストン杆の先端に該通液管に沿って延びる長尺の連杆を併設し、該連杆の先端を、該回転管継手から突設した連片に回転継手部を具備したロッドを介し連結し、該エアシリンダの作動により該液噴射ノズルを首振り自在としたことを特徴とする。
【発明の効果】
【０００５】
請求項1に記載の発明によれば、該熱交換器の主体を構成する互いに直交して配設されている多数の熱媒体循環管及び無数のフィンのうち、上向き及び下向きに首振りを繰り返す該液噴射ノズルの首振り方向に対し、直交する方向に配向している各熱媒体循環管又は各フィンに、該液噴射ノズルから噴射される洗浄液を、その正面に直接吹き付けることができるばかりでなく、その両側面にも直接吹き付けることができ、これによってこれら両側面に付着している凝着物を直接剥がすことができ洗浄効果を高めることが出来る。
更に、請求項2に記載の発明によれば、簡単な構成で該液噴射ノズルの上記の首振りの繰り返しを与えることができる。
更に、請求項3に記載の発明によれば、該液噴射ノズルにより天井の洗浄と上向き及び下向きを繰り返し乍ら、熱交換器の再洗浄を行うことができる。
更に、請求項4に記載の発明によれば、該天井取付型エアコンデショナーの熱交換器のこれら熱媒体循環管や無数のフィンの正面及び両側面に液噴射ノズルの洗浄液を吹き付け洗浄するに当たり、作業者が該手持式洗浄ユニット全体を手に持ち振り動かし乍ら洗浄する必要がなくなるので、肉体的負担、疲労を大幅に軽減できる。
【発明を実施するための最良の形態】
【０００６】
先ず、本発明の洗浄装置の実施の形態例を示す図1乃至6に基づき詳述する。
図1でAは、天井にステーボルトJ,Jにより取り付けられた天井取付型エアコンデショナーを示す。該エアコンデショナーAは、下面を開放した筐体Bと該筐体B内の熱交換器Cと、該筐体Bの中央の空間に配置したブロア(図示しない)と、該筐体Bの開放下面を塞ぐ蓋部材Dとを備える。該蓋部材Dは、その中央部に空気吸気口Eとその四周部に夫々空気吹出口Fを設けられている。該熱交換器Cは、図2に明示の通り、上下方向に一定の間隔を存して多数段に配設された熱媒体循環管C1,C1,…とこれらに対し直交し、環状方向に一定の間隔を存し配設された無数のフィンC2,C2,…とから成る。
該エアコンデショナーA内の該熱交換器Cを洗浄するに当たり、予め、該蓋部材Dと該ブロアを取り外す。
【０００７】
図示の本発明の洗浄装置は、該エアコンデショナーAの該筐体Bの下部に、前後左右に設けた各据付手段1によって据え付けられた取付台2を具備し、該取付台2に該取付台2を貫通して垂直方向に延び、且つ該略環状の熱交換器Cにより囲繞される空間の中央位置に臨むように支持された液供給管3を具備する。
該液供給管3は、該取付台2に載置し、該駆動装置4によって昇降動し乍ら垂直軸を中心に回転せしめられる。従って、該液供給管3の作動に連動して、該液供給管3に連なる液噴射ノズル5も昇降動し乍ら回転せしめられる。かくして、該液供給管3は、該環状の熱交換器Cの高さ方向及び環状方向に沿い移動し乍ら、該熱交換器Cに向かって洗浄液その他の液を吹き付けてその内周面全面の洗浄を行う。
参照符号6は、該取付台2の周囲に着脱自在に取付けられた該液噴射ノズル5から噴出された洗浄液その他の液を受ける透明又は半透明な素材から成る環状のホッパ、7は、該液供給管3を介して該液噴射ノズル5への洗浄液の供給と、該ホッパ6上に溜まる洗浄液の回収を行う液供給回収装置8を備える台車型床置ユニットを示す。
これらを更に詳述すると、該取付台2は、その中央に開口2aを備え、該開口2aの周囲に上方に立ち上がる立上壁2bを有し且つ該開口2aを上面から覆う蓋2cを備え、更に周囲には該ホッパ6の内周壁に嵌着した下向きの環状周壁2dを備える。更に、該取付台2の下面に、該液供給管3とこれに連なる該液噴射ノズル5に前記の昇降動と垂直軸を中心に回転動とを与える該駆動装置4の収納空間Sを備える。
2eは該収納空間Sの下方に設けたカバーを示し、該カバー2eは、ボールベアリング9のアウタレース9aと共に取付台2に締め付け固定される。
該駆動装置4は、該液供給管3に垂直軸を中心に回転させる回転駆動部10と、該液供給管3を昇降動させる昇降駆動部11とから成る。
該回転駆動部10は、該取付台2の下方の収納空間Sに設けたボールベアリング9のアウタレース9aの下面に取付けた内歯歯車12と、該ボールベアリング9のインナレース9b上に設けた支持板13に支承させたモータ14と、該内歯歯車12と噛合う該モータ14の回転軸上の歯車15とで構成され、該アウタレース9aは複数本の連結杆16で取付台2に連結される。また、該蓋2cは該インナレース9bから立ち上がる複数本の支持杆17に支持されて、該インナレース9bと共に回転するように支持される。該ボールベアリング9は水密構造とした。
該昇降駆動部11は、該液供給管3に連結部材18aにより連結したラック杆18と、該ラック杆18を昇降動させる該支持板13に取付けたモータ１９とで構成される。かくして、該モータ19によってラック杆18を上下動させることで、該液供給管3と共に該液噴射ノズル5を該熱交換器Cの高さ方向に沿って60〜80mm/secの速度で昇降動を繰り返す一方、該モータ14によって、該内歯歯車12を時計方向と反時計方向に交互に回転させることで、該液噴射ノズル5を該熱交換器Cの内周面に沿って1回転した後反対方向に1回転する動作を交互に5分乃至20分程度繰返すようにし、この間、該液噴射ノズルにより熱交換器Cに洗浄液を吹き付けて洗浄するようにした。図面で、20は支持板13上に設けた各モータ14,19の上限位置を検知するリミットスイッチLMSなどにリード線20aを介し給電する分電盤を示す。
尚、該ホッパ6は、該取付台2に取付けた該取付手段1によって該筐体Bの下端に密接させて取付けられる。該取付手段1は、紐状体1aと、該ステーボルトJに掛け止めるための該紐状体1aの一端に取り付けたフック1bと、該取付台2に固定した該紐状体1aの遊離端を挿通固定する締付固定具1cとから成る。
また、該液供給管3の下端及び該ホッパ6に設けたドレン回収口6aは、夫々、着脱自在のホース21a及び21bを介して夫々前記液供給回収装置8に接続する。
また、図示の実施例の該液噴射ノズル5の噴射液のパターンは、10度乃至60度の円錐状噴射パターンを与えるものを使用したが、これに限定されるものではなく、噴射液のパターンが扇状パターンを与える液噴射ノズルでもよい。
以上の洗浄装置の構成と作動は、特許文献2及び3に開示したものと変わりがない。
【０００８】
本発明の洗浄装置は、該略環状の熱交換器Cに沿い昇降動する該液噴射ノズル5をその昇降動移動すると同じ方向に、換言すれば、上向き及び下向きに首振り自在としたことを特徴とし、該液噴射ノズル5を概略環状の熱交換器Cの高さ方向に沿い昇降動させる間中、該液噴射ノズル5の上記の首振りを繰り返し乍ら、該熱交換器Cに洗浄液を吹き付けるようにすることにより、この首振り方向と直交する方向に配向された多数段の熱媒体循環管C1,C1,…の全てに対し、或いはこの首振り方向と直交する方向に配向された無数のフィンの全てに対し洗浄液をその夫々の正面に直接吹き付けることができるばかりでなく、その夫々の両側面にも直接吹き付けることができ、両側面に付着している凝着物を除去できるようにしたものである。
【０００９】
次に、図示の実施態様例の液噴射ノズル5の上下方向の首振り機構につき詳述する。
図2〜図6に示すように、該液供給管3の上端に熱交換器Cの内周面側に向かう接続管22を設け、エアピストンシリンダ23を用い、該接続管22の先端に回転管継手24を介して前記液噴射ノズル5を取り付け、該接続管22の側方に該回転管継手24を上下方向に揺動自在に駆動する装置として、例えば、エアピストンシリンダ23を併設し、そのシリンダ23a側を連結片25で該接続管22に支持させ、該エアピストンシリンダ23のピストン23bの先端を該回転管継手24から突出する連片26の先端に、端部に回転継手部27aを供えるロッド27を介して接続し、該エアピストンシリンダ23の駆動によって、該回転管継手24を反転動させることで、該液噴射ノズル5を3秒間に1〜30回、上向き及び下向きに首振り揺動させるようにした。尚、該駆動装置23としては、図示しないが、該エアピストンシリンダに代え、正逆回転可能なモータを用いて、該回転管継手24を反転動させることも出来る。
【００１０】
尚、上記から容易に理解されるように、本発明の上記の洗浄装置は、図示しないが、上向き及び下向きの首振り噴射ノズルの昇降方向と直交する水平方向に配設された無数のフィンとこれらフィンと直交して配設された多数本の熱媒体循環管とから成る略環状の熱交換器に対する洗浄を行うにも適用でき、これにより、その洗浄液を無数のフィンの夫々の正面ばかりでなく、その両側面に直接吹き付けることができ、その洗浄効果を高めることができる。
また、図示しないが、上記の首振り自在の噴射ノズルを具備した洗浄装置は、パネル状の熱交換器の洗浄にも用いることができることは勿論である。
【００１１】
本発明の洗浄装置は、上記のように、該液噴射ノズル5を用い、該略環状の熱交換器Cの高さ方向に沿い上記のように昇降動と回動とを繰り返し、その間、洗浄液を該熱交換Cの内周面の全面を洗浄するとき、特に、該噴射ノズル5の首振りを繰り返すことにより、これと直交する方向に配向された熱媒体循環管C1,C1,…の全ての両側面に直接洗浄液を吹き付けるようにしたものであるが、更に、下記のような、特に該熱交換器Cの上方の天井面の洗浄と該熱交換器Cの洗浄を行うための副洗浄装置を具備するものに構成した。
これを以下詳述する。
【００１２】
参照符号28は、該洗浄液供給管3に併設し、該洗浄液供給管3と共に回転する副液供給管を示し、該副液供給管28の上端に回転管継手29を介して副液噴射ノズル30を該液噴射ノズル5よりも高い位置に設け、且つ該接続管22に、シリンダ32a側を連結片31で支持されたエアピストンシリンダ32を設け、該エアピストンシリンダ32のピストン32bの先端に取付けた、端部に回転継手部33aを供えるロッド33を介して、該回転管継手29から突出する連片34に連結し、該エアピストンシリンダ32の作動によって該回転管継手29を回動させ、これに接続した該副液ノズル30を120度乃至130度の角度で上下方向に首振り揺動させるようにした。該副液ノズル30は、該洗浄液噴射ノズル5による該熱交換器Cの洗浄の前又は後に、これから噴射される洗浄液によって該筐体Bの天井面から熱交換器Cに亘って洗浄するに使用する。尚、該副液ノズル30として、その噴射液のパターンが上下方向に広がる扇形状の噴射ノズルパターンを与えるものを使用した。
図面で21cは、該液供給回収装置8から導出する該ホース21aに介入させた切換弁8aを介して該ホース21aから分岐し、該副液供給管41の下端に着脱自在に接続するホースを示す。8bは、各種の電磁弁開閉装置を示す。この構成は、特許文献3に開示した構成と変わりがない。
【００１３】
図7乃至図9は、天井取付型エアコンデショナーの略環状の熱交換器の洗浄に主として用いるに適した本発明の手持ち式の洗浄装置の実施の形態例を示す。該装置は、作業者が手に持って、上方の天井に取り付けられた熱交換器に向けられる長尺の通液管35と、その先端に回転管継手36を介して設けた液噴射ノズル37と該通液路35に沿い併設した該回転管継手36を駆動する駆動装置として、エアピストンシリンダ38とから成ると共に、更に、該回転管継手36から側方に突出する連片39に、該エアピストンシリンダ38のピストン杆38aの先端に、回転継手部40aを具備したロッド40を介し該エアピストンシリンダ38のピストン杆38aの先端に取り付けた長尺の連杆42を連結し、該エアピストンシリンダ38の作動により該回転管継手36を反転動させることで、該副液噴射ノズル37に3秒間に1〜30回の頻度で上下に首振り揺動させるようにした。尚、該駆動装置38として、前述の実施例と同様に、該エアピストンシリンダに代え、正逆回転可能なモータを用いてもよいことは申すまでもない。
【００１４】
更に、上記の基本構成をもつ手持ち式洗浄装置の使用を便にするため次のように構成することが好ましい。即ち、該エアピストンシリンダ38は該通液管35の基部の側方に該エアピストンシリンダ38を設けると共に、該通液管35の基部から突出させた前後の突鍔41a及び41aとこれら突鍔間を接続し、該通液間35の基部と該エアピストンシリンダ38を囲繞する筒状壁部41bとで構成した把持部41により該エアピストンシリンダ38を固設収容するようにし、使用時に作業者が該把持部41を握り、該手持ち洗浄装置の取り扱いを容易にした。
【００１５】
此種の手持ち式洗浄装置は、特許文献3の出願時に従来の技術として引用されている天井取付型エアコンデショナーの略環状の熱交換器の洗浄ユニットがその図12に開示されている。同図12に見られるように、該洗浄ユニットには、長尺の通液管に液噴射ノズル104を固設した式であるため、その使用に当たり、作業者はその通液管を手に持ち、振り動かし乍ら上方の熱交換器面に向け噴射液を吹き付けて洗浄するが、洗浄作業には長時間かゝるので、洗浄作業に要する労力、肉体的負担は極めて大きい不都合があった。
これに対し、本発明の上記の手持ち式洗浄装置は、該駆動装置38によりその噴射ノズルを首振り揺動させるので、手により通液管35自体を振り動かす必要がなく、作業者の労力及び肉体的負担は著しく軽減でき、而も、多数段の熱媒体循環管の両側面を確実に洗浄できるなどの効果をもたらす。
本発明の手持ち式の洗浄装置を使用するに当たり、予め、該通液管の基端部に洗浄液供給ポンプから導出するホースを接続し、該エアピストンシリンダに接続する吸気管38a,38aを圧縮ポンプに接続しておくことは言うまでもない。
尚、本発明の手持ち式洗浄装置は、エアコンデショナーに具備するパネル式の熱交換器の洗浄にも用いることができることは勿論である。
【図面の簡単な説明】
【００１６】
【図１】天井取付型エアコンデショナーの斜視図。
【図２】図1示の該天井取付型エアコンデショナーの熱交換器を洗浄するための本発明の実施の一例の洗浄装置の截断側面図。
【図３】図2示の洗浄装置の要部の拡大側面図。
【図４】図3示の該要部の正面図。
【図５】図3示の該要部の平面図。
【図６】図3示の該要部を180度回転した状態の側面図。
【図７】他の実施例を示す手動式洗浄装置の側面図。
【図８】図7示の洗浄装置の平面図。
【図９】図7示の装置の要部の拡大側面図。
【符号の説明】
【００１７】
A  天井取付型エアコンデショナー
C  略環状の熱交換器
C1  熱媒体循環管
C2  フィン
3  液供給管
5  液噴射ノズル
22  接続管
23  駆動装置、エアピストンシリンダ
24  回転管継手
【図１】
2007218496.tif 000003
【図２】
2007218496.tif 000004
【図３】
2007218496.tif 000005
【図４】
2007218496.tif 000006
【図５】
2007218496.tif 000007
【図６】
2007218496.tif 000008
【図７】
2007218496.tif 000009
【図８】
2007218496.tif 000010
【図９】
2007218496.tif 000011
【手続補正書】
【提出日】平成18年3月6日(2006.3.6)
【手続補正１】
【補正対象書類名】図面
【補正対象項目名】図４
【補正方法】変更
【補正の内容】
【図４】
2007218496.tif 000012
【手続補正２】
【補正対象書類名】図面
【補正対象項目名】図５
【補正方法】変更
【補正の内容】
【図５】
2007218496.tif 000013